(57)【要約】  特定のポータル・サービスの限られたカテゴリではなく、ウェブ環境全体における、それぞれのコンテンツへの問合せの数に基づいて人気によって検索することによる検索サービスをユーザに提供し、とりわけ、コンテンツのそれぞれの再生部分に従って人気及び詳細情報をユーザに提供して、信頼性が高く、より正確なコンテンツ検索サービスをユーザに提供することを可能にする、コンテンツ検索サービス・システム及びコンテンツ検索サービス方法が開示される。
2013531854.tif 000002
【特許請求の範囲】
【請求項１】
コンテンツを含んで、前記コンテンツの再生期間に関するヒット情報を管理するように構成された少なくとも１つのコンテンツ提供サーバと、
特定のコンテンツの検索を要求するように構成された端末デバイスと、
前記少なくとも１つのコンテンツ提供サーバと相互作用することによって収集される再生期間に関する前記ヒット情報に基づいて再生期間に関する合計ヒット情報を生成及び管理し、前記端末デバイスによって要求された前記特定のコンテンツを前記少なくとも１つのコンテンツ提供サーバからクラスタリングを通じて検索し、並びに検索結果及び前記特定のコンテンツについての再生期間に関する前記合計ヒット情報を提供するように構成されたコンテンツ検索サービス提供サーバとを備える、コンテンツ検索サービス・システム。
【請求項２】
前記少なくとも１つのコンテンツ提供サーバが、再生期間に関する前記ヒット情報、及びメタ情報、再生期間の追加コメント情報、若しくは再生期間のタイトル情報のうちの少なくとも１つを含むコンテンツ情報を生成及び管理し、前記ヒット情報及び前記コンテンツ情報を前記コンテンツ検索サービス提供サーバに提供するように構成される、請求項１に記載のコンテンツ検索サービス・システム。
【請求項３】
少なくとも１つのコンテンツ提供サーバと相互作用することによって収集される前記ヒット情報に基づいて再生期間に関する合計ヒット情報を生成及び管理するように構成されたヒット数情報管理ユニットであって、前記少なくとも１つのコンテンツ提供サーバが、コンテンツを含んで、前記コンテンツごとに再生期間に関する前記ヒット情報を管理するヒット数情報管理ユニットと、
端末デバイスによって要求された特定のコンテンツを前記少なくとも１つのコンテンツ提供サーバからクラスタリングを通じて検索して、検索結果及び前記特定のコンテンツについての再生期間に関する前記合計ヒット情報を提供するように構成された検索結果提供ユニットとを備える、コンテンツ検索サービス提供サーバ。
【請求項４】
前記検索結果提供ユニットが、前記特定のコンテンツを含む特定のコンテンツ提供サーバについての情報、前記特定のコンテンツ提供サーバ内の前記特定のコンテンツに関する情報、及び前記特定のコンテンツの前記合計ヒット情報のうちの少なくとも１つを含む前記検索結果を前記端末デバイスに提供して、前記端末デバイスが前記検索結果及びそれぞれの再生期間に関する前記合計ヒット情報を人気表示バーの形式で表示できるようにするように構成される、請求項３に記載のコンテンツ検索サービス提供サーバ。
【請求項５】
前記ヒット数情報管理ユニットが、前記少なくとも１つのコンテンツ提供サーバから収集される前記ヒット情報を正規化して、前記正規化されたヒット情報を合計することによって前記合計ヒット情報を生成するように構成され、前記少なくとも１つのコンテンツ提供サーバごとの前記正規化されたヒット情報が、前記ヒット情報の総数、前記再生期間の数、及び前記ヒット情報の数の平均を識別して、前記ヒット情報の数の前記平均を使用して前記ヒット情報を正規化することによって生成される、請求項３又は４に記載のコンテンツ検索サービス提供サーバ。
【請求項６】
コンテンツ検索サービス提供サーバは、前記少なくとも１つのコンテンツ提供サーバと相互作用することによって取得される、メタ情報、再生期間の追加コメント情報、若しくは再生期間のタイトル情報のうちの少なくとも１つを含むコンテンツ情報に基づいて期間コンテンツ情報を生成及び管理するように構成された期間コンテンツ情報管理ユニットをさらに備える、請求項４に記載のコンテンツ検索サービス提供サーバ。
【請求項７】
前記検索結果提供ユニットが、前記端末デバイスに表示された前記人気表示バー上の特定の再生期間が選択されると、前記特定の再生期間についての期間コンテンツ情報を前記端末デバイスに提供して、前記期間コンテンツ情報を表示できるようにするように構成され、前記期間コンテンツ情報が、前記特定の再生期間に関するストーリー、追加コメント情報、若しくはタイトル情報のうちの少なくとも１つを含む、請求項６に記載のコンテンツ検索サービス提供サーバ。
【請求項８】
前記検索結果提供ユニットが、前記特定の再生期間についての前記期間コンテンツ情報を、前記検索結果及び前記合計ヒット情報とともに前記端末デバイスにさらに提供して、前記端末デバイスが前記特定の再生期間についての前記期間コンテンツ情報を前記人気表示バーとともに表示できるようにするように構成される、請求項６に記載のコンテンツ検索サービス提供サーバ。
【請求項９】
前記端末デバイスが前記検索結果に基づいて前記特定のコンテンツの特定の再生期間を選択すると前記特定の再生期間の再生時間を識別して、前記特定のコンテンツがコンテンツ格納ユニットに格納されると前記識別された再生時間情報と同期して前記特定のコンテンツを前記端末デバイスに提供するように構成されたコンテンツ提供ユニットをさらに備える、請求項４、７、及び８のいずれかに記載のコンテンツ検索サービス提供サーバ。
【請求項１０】
前記特定のコンテンツが前記コンテンツ格納ユニットに格納されていない場合、前記コンテンツ提供ユニットが、前記特定のコンテンツを含む前記特定のコンテンツ提供サーバについての情報、及び前記特定のコンテンツに関する情報を前記端末デバイスに提供して、前記端末デバイスが前記特定のコンテンツを含む前記特定のコンテンツ提供サーバから前記特定のコンテンツを受信できるようにするように構成される、請求項９に記載のコンテンツ検索サービス提供サーバ。
【請求項１１】
コンテンツを含んで、前記コンテンツについての再生期間に関するヒット情報を管理するためにコンテンツ検索サービス提供サーバと少なくとも１つのコンテンツ提供サーバとを連動させるステップと、
前記コンテンツ検索サービス提供サーバによって、前記少なくとも１つのコンテンツ提供サーバと相互作用することによって収集される再生期間に関する前記ヒット情報に基づいて再生期間に関する合計ヒット情報を生成及び管理するステップと、
端末デバイスによって特定のコンテンツを検索するよう要求するステップと、
前記コンテンツ検索サービス提供サーバによって、前記端末デバイスによって要求された前記特定のコンテンツを前記少なくとも１つのコンテンツ提供サーバからクラスタリングを通じて検索するステップと、
前記コンテンツ検索サービス提供サーバによって、検索結果及び前記特定のコンテンツについての再生期間に関する前記合計ヒット情報を提供するステップとを備える、コンテンツ検索サービス方法。
【請求項１２】
少なくとも１つのコンテンツ提供サーバと相互作用することによって収集されるコンテンツごとの再生期間に関する前記ヒット情報に基づいて再生期間に関する合計ヒット情報を生成及び管理するステップと、
端末デバイスによって要求された特定のコンテンツを前記少なくとも１つのコンテンツ提供サーバからクラスタリングを通じて検索するステップと、
前記特定のコンテンツについての再生期間に関する検索結果及び前記合計ヒット情報を提供するステップとを備える、コンテンツ検索サービス提供サーバのサービス提供方法。
【請求項１３】
検索結果及び前記合計ヒット情報を提供するステップが、
前記特定のコンテンツを含む特定のコンテンツ提供サーバについての情報、前記特定のコンテンツ提供サーバ内の前記特定のコンテンツに関する情報、及び前記特定のコンテンツの前記合計ヒット情報のうちの少なくとも１つを含む前記検索結果を前記端末デバイスに提供して、前記端末デバイスが前記検索結果及びそれぞれの再生期間に関する前記合計ヒット情報を人気表示バーの形式で表示できるようにするステップを備える、請求項１２に記載のコンテンツ検索サービス提供サーバのサービス提供方法。
【請求項１４】
前記ヒット数情報を管理するステップが、
前記少なくとも１つのコンテンツ提供サーバから収集される前記ヒット情報ごとの前記ヒット情報の総数、前記再生期間の数、及び前記ヒット情報の数の平均を識別して、前記ヒット情報の数の前記平均を使用して前記ヒット情報を正規化するステップと、
それぞれの再生期間に関する前記正規化されたヒット情報を合計することによって前記合計ヒット情報を生成するステップとを備える、請求項１２または請求項１３に記載のコンテンツ検索サービス提供サーバのサービス提供方法。
【請求項１５】
前記少なくとも１つのコンテンツ提供サーバと相互作用することによって取得される、メタ情報、再生期間の追加コメント情報、若しくは再生期間のタイトル情報のうちの少なくとも１つを含むコンテンツ情報に基づいて期間コンテンツ情報を生成及び管理するステップをさらに備える、請求項１３に記載のコンテンツ検索サービス提供サーバのサービス提供方法。
【請求項１６】
前記端末デバイスに表示された前記人気表示バー上の特定の再生期間が選択されると、前記特定の再生期間についての期間コンテンツ情報を前記端末デバイスに提供して、前記期間コンテンツ情報を表示できるようにするステップであって、前記期間コンテンツ情報が、前記特定の再生期間に関するストーリー、追加コメント情報、若しくはタイトル情報のうちの少なくとも１つを含むステップをさらに備える、請求項１５に記載のコンテンツ検索サービス提供サーバのサービス提供方法。
【請求項１７】
検索結果及び前記合計ヒット情報を提供するステップが、
前記特定の再生期間についての前記期間コンテンツ情報を、前記検索結果及び前記合計ヒット情報とともに前記端末デバイスに提供して、前記端末デバイスが前記特定の再生期間についての前記期間コンテンツ情報を前記人気表示バーとともに表示できるようにするステップをさらに備える、請求項１５に記載のコンテンツ検索サービス提供サーバのサービス提供方法。
【請求項１８】
前記端末デバイスが前記検索結果に基づいて前記特定のコンテンツの特定の再生期間を選択すると前記特定の再生期間の再生時間を識別するステップと、
前記特定のコンテンツがコンテンツ格納ユニットに格納されると前記認識された再生時間情報と同期して前記特定のコンテンツを前記端末デバイスに提供するステップとをさらに備える、請求項１３、１６、及び１７のいずれかに記載のコンテンツ検索サービス提供サーバのサービス提供方法。
【請求項１９】
前記特定のコンテンツが前記コンテンツ格納ユニットに格納されていない場合、前記特定のコンテンツを含む前記特定のコンテンツ提供サーバについての情報、及び前記特定のコンテンツに関する情報を前記端末デバイスに提供して、前記端末デバイスが前記特定のコンテンツを含む前記特定のコンテンツ提供サーバから前記特定のコンテンツを受信できるようにするステップをさらに備える、請求項１８に記載のコンテンツ検索サービス提供サーバのサービス提供方法。
【発明の詳細な説明】
【技術分野】
【０００１】
本発明は、コンテンツ検索サービス・システムに関し、より具体的には、信頼性が高く、詳細で、効果的なコンテンツ検索サービスを提供するために、単一のポータル・サービスの限られた範囲ではなく、ウェブ環境全体におけるコンテンツごとのヒット数に基づいて、コンテンツ検索サービスのユーザに人気（評判：popularity）を提供でき、またコンテンツのそれぞれの再生期間における人気及び詳細情報をユーザに提供できる、コンテンツ検索サービス・システム、コンテンツ検索サービス方法、コンテンツ検索サービス提供サーバ、及びコンテンツ検索サービス提供サーバのサービス提供方法に関する。
【背景技術】
【０００２】
近年、様々なタイプの固定若しくはモバイル端末、並びにパーソナル・コンピュータ（ＰＣ）を使用してビデオを再生できる環境では、ユーザは時と場所を問わず様々な手段を通じて放送コンテンツ、映画、及びユーザ作成コンテンツ（ＵＣＣ）などのビデオ・コンテンツを取得／再生できる。
【０００３】
したがって、ユーザはより多くの種類のビデオ・コンテンツを次々に所望するようになっている。この傾向を受けて、現在様々な種類の、及び大量のコンテンツがウェブ環境に提供され、ユーザはこのようなウェブ環境で所望のビデオ・コンテンツを取得するために検索して、それらを再生できるようになった。
【０００４】
このような環境において、ユーザはウェブ環境に広がる様々な種類の、及び大量のビデオ・コンテンツの中から、人気のあるビデオ・コンテンツを迅速且つ便利に検索する機能を所望するようになった。
【０００５】
上述のようなユーザの希望を満たすために、検索方法によってユーザはコンテンツのヒット数に基づいてビデオ・コンテンツの人気を知ることができるようになり、ユーザは彼らが所望する人気のあるビデオ・コンテンツを効果的に取得できるようになった。
【０００６】
しかし、上記の検索方法では、単一のポータル・サービスの限られた範囲におけるヒット数に基づいて人気が提供されるので、正確で信頼できる人気の提供には限界がある。また、コンテンツのヒット数だけが考慮されているため、特に人気の高いビデオ・コンテンツにおける再生期間についての情報などの、特定の、及び詳細情報を提供できない。
【発明の概要】
【課題を解決するための手段】
【０００７】
したがって、コンテンツ検索サービス・システム及びその方法を有する、信頼性が高く、詳細で、効果的なコンテンツ検索サービスをユーザに提供するために、コンテンツを含んで、そのコンテンツについての再生期間に関するヒット情報を管理するためにコンテンツ検索サービス提供サーバと少なくとも１つのコンテンツ提供サーバとを連動させ、コンテンツ検索サービス提供サーバによって、少なくとも１つのコンテンツ提供サーバと相互作用することによって収集される再生期間に関するヒット情報に基づいて再生期間に関する合計ヒット情報を生成及び管理し、端末デバイスによって特定のコンテンツを検索するよう要求し、コンテンツ検索サービス提供サーバによって、端末デバイスによって要求された特定のコンテンツを少なくとも１つのコンテンツ提供サーバからクラスタリングを通じて検索し、並びにコンテンツ検索サービス提供サーバによって、検索結果及び特定のコンテンツについての再生期間に関する合計ヒット情報を提供する、本発明の実施例が作成される。
【０００８】
さらに、コンテンツ検索サービス提供サーバ及びその方法を通じて、信頼性が高く、詳細で、効果的なコンテンツ検索サービスをユーザに提供するために、少なくとも１つのコンテンツ提供サーバと相互作用することによって収集されるコンテンツごとの再生期間に関するヒット情報に基づいて再生期間に関する合計ヒット情報を生成及び管理し、端末デバイスによって要求された特定のコンテンツを少なくとも１つのコンテンツ提供サーバからクラスタリングを通じて検索し、並びに検索結果及び特定のコンテンツについての再生期間に関する合計ヒット情報を提供する、本発明の他の実施例が作成される。
【０００９】
本発明のある実施例によれば、コンテンツを含んで、そのコンテンツの再生期間に関するヒット情報を管理するように構成された少なくとも１つのコンテンツ提供サーバと、特定のコンテンツの検索を要求するように構成された端末デバイスと、少なくとも１つのコンテンツ提供サーバと相互作用することによって収集される再生期間に関するヒット情報に基づいて再生期間に関する合計ヒット情報を生成及び管理し、端末デバイスによって要求された特定のコンテンツを少なくとも１つのコンテンツ提供サーバからクラスタリングを通じて検索し、並びに検索結果及び特定のコンテンツについての再生期間に関する合計ヒット情報を提供するように構成されたコンテンツ検索サービス提供サーバとを備えるコンテンツ検索サービス・システムが提供される。
【００１０】
少なくとも１つのコンテンツ提供サーバは、再生期間に関するヒット情報、及びメタ情報、再生期間の追加コメント情報、若しくは再生期間のタイトル情報のうちの少なくとも１つを含むコンテンツ情報を生成及び管理し、ヒット情報及びコンテンツ情報をコンテンツ検索サービス提供サーバに提供するように構成されうる。
【００１１】
本発明のある実施例によれば、少なくとも１つのコンテンツ提供サーバと相互作用することによって収集されるヒット情報に基づいて再生期間に関する合計ヒット情報を生成及び管理するように構成されたヒット数情報管理ユニットであって、少なくとも１つのコンテンツ提供サーバが、コンテンツを含んで、コンテンツごとに再生期間に関するヒット情報を管理するヒット数情報管理ユニットと、端末デバイスによって要求された特定のコンテンツを少なくとも１つのコンテンツ提供サーバからクラスタリングを通じて検索して、検索結果及び特定のコンテンツについての再生期間に関する合計ヒット情報を提供するように構成された検索結果提供ユニットとを備えるコンテンツ検索サービス提供サーバが提供される。
【００１２】
検索結果提供ユニットは、特定のコンテンツを含む特定のコンテンツ提供サーバについての情報、特定のコンテンツ提供サーバ内の特定のコンテンツに関する情報、及び特定のコンテンツの合計ヒット情報のうちの少なくとも１つを含む検索結果を端末デバイスに提供して、端末デバイスが検索結果及びそれぞれの再生期間に関する合計ヒット情報を人気表示バーの形式で表示できるようにするように構成されうる。
【００１３】
ヒット数情報管理ユニットは、少なくとも１つのコンテンツ提供サーバから収集されるヒット情報を正規化して、正規化されたヒット情報を合計することによって合計ヒット情報を生成するように構成でき、少なくとも１つのコンテンツ提供サーバごとの正規化されたヒット情報は、ヒット情報の総数、再生期間の数、及びヒット情報の数の平均を識別して、ヒット情報の数の平均を使用してヒット情報を正規化することによって生成される。
【００１４】
コンテンツ検索サービス提供サーバは、少なくとも１つのコンテンツ提供サーバと相互作用することによって取得される、メタ情報、再生期間の追加コメント情報、若しくは再生期間のタイトル情報のうちの少なくとも１つを含むコンテンツ情報に基づいて期間コンテンツ情報を生成及び管理するように構成された期間コンテンツ情報管理ユニットをさらに備えうる。
【００１５】
検索結果提供ユニットは、端末デバイスに表示された人気表示バー上の特定の再生期間が選択されると、特定の再生期間についての期間コンテンツ情報を端末デバイスに提供して、期間コンテンツ情報を表示できるようにするように構成でき、期間コンテンツ情報は、特定の再生期間に関するストーリー、追加コメント情報、若しくはタイトル情報のうちの少なくとも１つを含む。
【００１６】
検索結果提供ユニットは、特定の再生期間についての期間コンテンツ情報を、検索結果及び合計ヒット情報とともに端末デバイスにさらに提供して、端末デバイスが特定の再生期間についての期間コンテンツ情報を人気表示バーとともに表示できるようにするように構成されうる。
【００１７】
コンテンツ検索サービス提供サーバは、端末デバイスが検索結果に基づいて特定のコンテンツの特定の再生期間を選択すると特定の再生期間の再生時間を識別して、特定のコンテンツがコンテンツ格納ユニットに格納されると認識された再生時間情報と同期して特定のコンテンツを端末デバイスに提供するように構成されたコンテンツ提供ユニットをさらに備えうる。
【００１８】
特定のコンテンツがコンテンツ格納ユニットに格納されていない場合、コンテンツ提供ユニットは、特定のコンテンツを含む特定のコンテンツ提供サーバについての情報、及び特定のコンテンツに関する情報を端末デバイスに提供して、端末デバイスが特定のコンテンツを含む特定のコンテンツ提供サーバから特定のコンテンツを受信できるようにするように構成されうる。
【００１９】
本発明のある実施例によれば、コンテンツを含んで、そのコンテンツについての再生期間に関するヒット情報を管理するためにコンテンツ検索サービス提供サーバと少なくとも１つのコンテンツ提供サーバとを連動させるステップと、コンテンツ検索サービス提供サーバによって、少なくとも１つのコンテンツ提供サーバと相互作用することによって収集される再生期間に関するヒット情報に基づいて再生期間に関する合計ヒット情報を生成及び管理するステップと、端末デバイスによって特定のコンテンツを検索するよう要求するステップと、コンテンツ検索サービス提供サーバによって、端末デバイスによって要求された特定のコンテンツを少なくとも１つのコンテンツ提供サーバからクラスタリングを通じて検索するステップと、並びにコンテンツ検索サービス提供サーバによって、検索結果及び特定のコンテンツについての再生期間に関する合計ヒット情報を提供するステップとを備えるコンテンツ検索サービス方法が提供される。
【００２０】
本発明のある実施例によれば、少なくとも１つのコンテンツ提供サーバと相互作用することによって収集されるコンテンツごとの再生期間に関するヒット情報に基づいて再生期間に関する合計ヒット情報を生成及び管理するステップと、端末デバイスによって要求された特定のコンテンツを少なくとも１つのコンテンツ提供サーバからクラスタリングを通じて検索するステップと、並びに検索結果及び特定のコンテンツについての再生期間に関する合計ヒット情報を提供するステップとを備えるコンテンツ検索サービス提供サーバのサービス提供方法が提供される。
【００２１】
検索結果及び合計ヒット情報を提供するステップは、特定のコンテンツを含む特定のコンテンツ提供サーバについての情報、特定のコンテンツ提供サーバ内の特定のコンテンツに関する情報、及び特定のコンテンツの合計ヒット情報のうちの少なくとも１つを含む検索結果を端末デバイスに提供して、端末デバイスが検索結果及びそれぞれの再生期間に関する合計ヒット情報を人気表示バーの形式で表示できるようにするステップを備えうる。
【００２２】
ヒット数情報を管理するステップは、少なくとも１つのコンテンツ提供サーバから収集されるヒット情報ごとのヒット情報の総数、再生期間の数、及びヒット情報の数の平均を識別して、ヒット情報の数の平均を使用してヒット情報を正規化するステップと、それぞれの再生期間に関する正規化されたヒット情報を合計することによって合計ヒット情報を生成するステップとを備えうる。
【００２３】
コンテンツ検索サービス提供サーバのサービス提供方法は、少なくとも１つのコンテンツ提供サーバと相互作用することによって取得される、メタ情報、再生期間の追加コメント情報、若しくは再生期間のタイトル情報のうちの少なくとも１つを含むコンテンツ情報に基づいて期間コンテンツ情報を生成及び管理するステップをさらに備えうる。
【００２４】
コンテンツ検索サービス提供サーバのサービス提供方法は、端末デバイスに表示された人気表示バー上の特定の再生期間が選択されると、特定の再生期間についての期間コンテンツ情報を端末デバイスに提供して、期間コンテンツ情報を表示できるようにするステップであって、期間コンテンツ情報が、ストーリー、追加コメント情報、若しくは特定の再生期間に関するタイトル情報のうちの少なくとも１つを含むステップを備えうる。
【００２５】
検索結果及び合計ヒット情報を提供するステップは、特定の再生期間についての期間コンテンツ情報を検索結果及び合計ヒット情報とともに端末デバイスに提供して、端末デバイスが特定の再生期間についての期間コンテンツ情報を人気表示バーとともに表示できるようにするステップをさらに備えうる。
【００２６】
コンテンツ検索サービス提供サーバのサービス提供方法は、端末デバイスが検索結果に基づいて特定のコンテンツの特定の再生期間を選択すると、特定の再生期間の再生時間を識別するステップと、特定のコンテンツがコンテンツ格納ユニットに格納されると、認識された再生時間情報と同期して特定のコンテンツを端末デバイスに提供するステップをさらに備えうる。
【００２７】
特定のコンテンツがコンテンツ格納ユニットに格納されていない場合、コンテンツ検索サービス提供サーバのサービス提供方法は、特定のコンテンツを含む特定のコンテンツ提供サーバについての情報、及び特定のコンテンツに関する情報を端末デバイスに提供して、端末デバイスが特定のコンテンツを含む特定のコンテンツ提供サーバから特定のコンテンツを受信できるようにするステップをさらに備えうる。
【００２８】
本発明の実施例によるコンテンツ検索サービス・システム及びコンテンツ検索サービス方法では、コンテンツごとのそれぞれの再生期間に関する合計ヒット情報が、ウェブ内のコンテンツ提供サーバと相互作用することを通じてコンテンツ検索サービス提供サーバによって管理され、端末デバイスによって特定のコンテンツを検索するよう要求されると、特定のコンテンツの検索結果、及び特定のコンテンツの再生期間に関する合計ヒット情報が端末デバイスに提供されるので、端末デバイスのユーザは、１つのポータル・サービスの限られた範囲ではなく、ウェブ環境全体におけるそれぞれの再生期間におけるそれぞれのコンテンツの人気を表す合計ヒット数を与えられうる。
【００２９】
したがって、本発明の実施例によるコンテンツ検索サービス・システム及びコンテンツ検索サービス方法では、特定のポータル・サービスの限られた範囲ではなく、ウェブ環境全体におけるそれぞれの再生期間におけるそれぞれのコンテンツの人気がコンテンツ検索サービスのユーザに提供され、それぞれの再生期間に関するタイトル、追加コメント、及びストーリーなどの詳細情報がユーザに提供されるので、信頼性が高く、詳細で、効果的なコンテンツ検索サービスをユーザに提供できる。
【００３０】
本発明の上記及び他の目的、特徴、並びに利点は、以下の詳細な説明を添付の図面と併せて読めば、より明らかになるであろう。
【図面の簡単な説明】
【００３１】
【図１】本発明の実施例による、コンテンツ検索サービス・システムを示す制御ブロック図である。
【図２】本発明の実施例による、コンテンツ検索サービス提供サーバを示す制御ブロック図である。
【図３】本発明の実施例による、コンテンツ検索サービス方法を示す流れ図である。
【図４】本発明の実施例による、コンテンツ検索サービス提供サーバのサービスを提供する方法を示す流れ図である。
【発明を実施するための形態】
【００３２】
以下では、添付の図面を参照して、本発明の例示的な実施例を説明する。
【００３３】
図１は、本発明の実施例によるコンテンツ検索サービス・システムを示す図である。
【００３４】
図１に示されるように、本発明によるコンテンツ検索サービス・システムは、コンテンツ提供サーバ３００Ａ〜３００Ｎを含み、それぞれはコンテンツを含んで、そのコンテンツの再生期間に関するヒット情報を管理するためのものであり、端末デバイス１００は特定のコンテンツの検索を要求するためのものであり、コンテンツ検索サービス提供サーバ２００は少なくとも１つのコンテンツ提供サーバ３００Ａ〜３００Ｎと相互作用することによって収集される再生期間に関するヒット情報に基づいて再生期間に関する合計ヒット情報を生成及び管理して、端末デバイス１００によって要求された特定のコンテンツを少なくとも１つのコンテンツ提供サーバ３００Ａ〜３００Ｎからクラスタリングを通じて検索して、検索結果及び特定のコンテンツについての再生期間に関する合計ヒット情報を端末デバイス１００に提供するためのものである。
【００３５】
端末デバイス１００は、様々な方法によって取得されたコンテンツを再生するための再生装置である。端末デバイス１００は、モバイル端末、携帯用情報端末（ＰＤＡ）、ノート・ブック、パーソナル・コンピュータ（ＰＣ）、及びインターネット・テレビなどの、放送コンテンツ、ビデオ・オン・デマンド（ＶＯＤ）・コンテンツ、若しくはユーザ作成コンテンツ（ＵＣＣ：Ｕｓｅｒ  Ｃｒｅａｔｅｄ  Ｃｏｎｔｅｎｔｓ）などのビデオ・コンテンツを再生できる様々な装置を含みうる。
【００３６】
端末デバイス１００はコンテンツ検索サービス提供サーバ２００にアクセスして、ユーザによって入力された検索語（たとえばＸＸドラマのエピソード３）をコンテンツ検索サービス提供サーバ２００に提供して、検索語（たとえばＸＸドラマのエピソード３）に対応するコンテンツを要求する。
【００３７】
それぞれのコンテンツ提供サーバ３００Ａ〜３００Ｎは、コンテンツ提供サーバに含まれるコンテンツのそれぞれの再生期間に関するヒット情報を管理する。
【００３８】
上記を、コンテンツ提供サーバ３００Ａ〜３００Ｎの中からコンテンツ提供サーバ３００Ａを参照して詳細に説明する。コンテンツ提供サーバＡ３００Ａは、様々なユーザ若しくはコンテンツ・プロバイダによって登録された様々なコンテンツを格納／保有して、コンテンツ提供サーバＡ３００Ａによって保有されるそれぞれの様々なコンテンツに関してあらかじめ定められたユーザによってどのコンテンツ（たとえば、ビデオ・コンテンツ１）が選択及び再生されて、対応するコンテンツが選択及び再生されると、対応するコンテンツ（たとえば、ビデオ・コンテンツ１）のあらかじめ設定された再生期間（たとえば、再生期間１、２、３、４、及び５）の中のどの再生期間（たとえば、再生期間３及び４）が再生されるかを継続的に監視して、コンテンツごとにそれぞれの再生期間に関するヒット情報を生成及び管理する。
【００３９】
コンテンツ提供サーバＡ３００Ａは、それぞれの保有されたコンテンツに関する対応するコンテンツのメタ情報、それぞれのあらかじめ設定された再生期間についての追加コメント情報、及びそれぞれの再生期間のタイトルについての情報並びにコンテンツ提供サーバＡ３００Ａに含まれるそれぞれのコンテンツのそれぞれの再生期間に関するヒット情報のうちの少なくとも１つを含むコンテンツ情報を生成及び管理できる。
【００４０】
すなわち、コンテンツ提供サーバＡ３００Ａは、コンテンツ提供サーバＡ３００Ａによって保有されるそれぞれの様々なコンテンツに関して登録されたメタ情報（たとえば、コンテンツ識別情報、コンテンツ・タイトル情報、合計再生時間情報、再生の開始及び再生の終了を表すそれぞれの再生期間における再生時間についての情報、ジャンル情報、テーマ情報、キャラクタ情報、並びにストーリー情報）を管理できる。さらに、コンテンツ提供サーバＡ３００Ａは、コンテンツ提供サーバＡ３００Ａによって保有されるコンテンツの中からあらかじめ定められたユーザによって選択及び再生されたコンテンツ（たとえば、ビデオ・コンテンツ１）に関する、若しくはコンテンツ・プロバイダによって選択されたコンテンツ（たとえば、ビデオ・コンテンツ１）に関するあらかじめ定められた再生期間（たとえば、再生期間２）と同期して登録された追加コメント情報（たとえば、コメント、レビュー、及び質問）、並びに再生期間のタイトル（たとえば、再生期間のタイトル及び再生期間のストーリー）についての情報を収集して格納できる。
【００４１】
コンテンツ提供サーバＡ３００Ａは、コンテンツ提供サーバＡ３００Ａによって保有されるそれぞれのコンテンツに関する、対応するコンテンツのメタ情報、それぞれの再生期間における追加コメントについての情報、及びそれぞれの再生期間のタイトルについての情報を含む、コンテンツ情報を管理できる。
【００４２】
それぞれのコンテンツ提供サーバ３００Ａ〜３００Ｎは、コンテンツ提供サーバに含まれるコンテンツのそれぞれの再生期間に関するヒット情報、及びコンテンツ提供サーバによって保有されるそれぞれのコンテンツについての情報を、コンテンツ検索サービス提供サーバ２００と相互作用することを通じてコンテンツ検索サービス提供サーバ２００に提供できる。
【００４３】
コンテンツ検索サービス提供サーバ２００は、定期的、若しくはあらかじめ定められたイベント（たとえば、コンテンツを検索するために端末デバイス１００によって実行される要求）の生成に従って、コンテンツ提供サーバ３００Ａ〜３００Ｎと相互作用することを通じて、それぞれのコンテンツ提供サーバ３００Ａ〜３００Ｎによって保有されるコンテンツごとにそれぞれの再生期間に関する少なくとも１つのヒット情報を収集して、それぞれのコンテンツ提供サーバ３００Ａ〜３００Ｎによって保有されるコンテンツごとにそれぞれの再生期間に関する少なくとも１つのヒット情報に基づいてコンテンツ提供サーバ３００Ａ〜３００Ｎについてのそれぞれの再生期間に関する合計ヒット情報を生成及び管理する。
【００４４】
コンテンツ検索サービス提供サーバ２００は、端末デバイス１００によってコンテンツを検索するよう要求されると、それぞれのコンテンツ提供サーバ３００Ａ〜３００Ｎと相互作用しているコンテンツ検索サービス提供サーバ２００に従って、クラスタリングを通じて検索するよう要求されたコンテンツを検索して、検索されたコンテンツのそれぞれの再生期間に関する検索結果及びヒット情報を端末デバイス１００に提供する。
【００４５】
以下では、図２を参照して、本発明によるコンテンツ検索サービス提供サーバ２００を詳細に説明する。
【００４６】
図２に示されるように、本発明によるコンテンツ検索サービス提供サーバ２００は、それぞれのコンテンツ提供サーバ３００Ａ〜３００Ｎと相互作用することを通じて収集されるコンテンツごとにそれぞれの再生期間に関する少なくとも１つのヒット情報に基づいてコンテンツについてのそれぞれの再生期間に関する合計ヒット情報を生成及び管理するためのヒット数情報管理ユニット２１０と、検索結果及び対応するコンテンツについてのそれぞれの再生期間に関する合計ヒット情報を端末デバイス１００に提供するために、外部端末デバイス１００によってあらかじめ定められたコンテンツを検索するよう要求されると、それぞれのコンテンツ提供サーバ３００Ａ〜３００Ｎと相互作用している検索結果提供ユニット２４０に従って、クラスタリングを通じて検索するよう要求されたコンテンツを検索するための検索結果提供ユニット２４０とを含む。
【００４７】
ヒット数情報管理ユニット２１０は、定期的、若しくはあらかじめ定められたイベント（たとえば、コンテンツを検索するために端末デバイス１００によって実行される要求）の生成に従って、それぞれのコンテンツ提供サーバ３００Ａ〜３００Ｎと相互作用することを通じてそれぞれのコンテンツ提供サーバ３００Ａ〜３００Ｎによって保有されるコンテンツごとにそれぞれの再生期間に関する少なくとも１つのヒット情報を収集して、それぞれのコンテンツ提供サーバ３００Ａ〜３００Ｎによって保有されるコンテンツについてのそれぞれの再生期間に関する少なくとも１つのヒット情報に基づいてコンテンツごとにそれぞれの再生期間に関する合計ヒット情報を生成及び管理する。
【００４８】
すなわち、ヒット数情報管理ユニット２１０は、それぞれのコンテンツ提供サーバ３００Ａ〜３００Ｎによって保有されるコンテンツのそれぞれの再生期間に関するヒット情報を、コンテンツ提供サーバ３００Ａ〜３００Ｎから収集する。
【００４９】
この時点で、コンテンツ提供サーバＡ３００Ａ及びコンテンツ提供サーバＮ３００Ｎが同じコンテンツ（たとえば、ビデオ・コンテンツ１）を保有する場合、ヒット数情報管理ユニット２１０は対応するコンテンツ（たとえば、ビデオ・コンテンツ１）についてのヒット情報Ａをコンテンツ提供サーバＡ３００Ａから収集して、対応するコンテンツ（たとえば、ビデオ・コンテンツ１）についてのヒット情報Ｎをコンテンツ提供サーバＮ３００Ｎから収集する。
【００５０】
ヒット数情報管理ユニット２１０は、特定のコンテンツ（たとえば、ビデオ・コンテンツ３）についてのそれぞれの再生期間に関する唯一のヒット情報を収集でき、それぞれのコンテンツ提供サーバ３００Ａ〜３００Ｎによって保有されるそれぞれの様々なコンテンツに関する特定のコンテンツ（たとえば、ビデオ・コンテンツ１）についてのそれぞれの再生期間に関する様々なヒット情報（たとえば、ヒット情報Ａ、Ｂ、及びＮ）を収集できる。
【００５１】
上述のように、ヒット数情報管理ユニット２１０は、それぞれのコンテンツ提供サーバ３００Ａ〜３００Ｎと相互作用しているヒット数情報管理ユニット２１０によって収集されるそれぞれの再生期間に関する少なくとも１つのヒット情報に基づいてコンテンツについてのそれぞれの再生期間に関する合計ヒット情報を生成及び管理する。
【００５２】
たとえば、あらかじめ定められたコンテンツ（たとえば、ビデオ・コンテンツ３）についてのそれぞれの再生期間に関する唯一のヒット情報が収集されると、ヒット数情報管理ユニット２１０は、コンテンツ（たとえば、ビデオ・コンテンツ３）それぞれの再生期間に関する唯一のヒット情報をそのコンテンツ（たとえば、ビデオ・コンテンツ３）のそれぞれの再生期間に関する合計ヒット情報として適用することによって、コンテンツ（たとえば、ビデオ・コンテンツ３）についてのそれぞれの再生期間に関する合計ヒット情報を生成できる。さらに、あらかじめ定められたコンテンツ（たとえば、ビデオ・コンテンツ１）についてのそれぞれの再生期間に関する様々なヒット情報（たとえば、それぞれの再生期間によるヒット数情報アイテムＡ、Ｇ、及びＮ）が収集されると、ヒット数情報管理ユニット２１０は、コンテンツ（たとえば、ビデオ・コンテンツ１）についてのそれぞれの再生期間に関する様々なヒット情報（たとえば、それぞれの再生期間によるヒット数情報アイテムＡ、Ｇ、及びＮ）に基づいて、コンテンツ（たとえば、ビデオ・コンテンツ１）についての再生期間に関するヒット情報を合計することによって、コンテンツ（たとえば、ビデオ・コンテンツ１）についてのそれぞれの再生期間に関する合計ヒット情報を生成できる。
【００５３】
コンテンツ（たとえば、ビデオ・コンテンツ１）についてのヒット情報Ａは、再生期間１におけるヒット数が４０００であり、再生期間２におけるヒット数が２０００であり、再生期間３におけるヒット数が１０００であり、再生期間４におけるヒット数が５０００であり、再生期間５におけるヒット数が５０００であることを示すと仮定される。
【００５４】
同様に、コンテンツ（たとえば、ビデオ・コンテンツ１）についての再生期間に関するヒット情報Ｂは、再生期間１におけるヒット数が４０であり、再生期間２におけるヒット数が２０であり、再生期間３におけるヒット数が５０であり、再生期間４におけるヒット数が６０であり、再生期間５におけるヒット数が４０であることを示すと仮定され、コンテンツ（たとえば、ビデオ・コンテンツ１）についての再生期間に関するヒット情報Ｎは、再生期間１におけるヒット数が６０であり、再生期間２におけるヒット数が８０であり、再生期間３におけるヒット数が５０であり、再生期間４におけるヒット数が１４０であり、再生期間５におけるヒット数が２４０であることを示すと仮定される。
【００５５】
ヒット数情報管理ユニット２１０は、それぞれの再生期間に関するヒット情報を合計して、対応するコンテンツ（たとえば、ビデオ・コンテンツ１）についてのそれぞれの再生期間に関する合計ヒット情報（再生期間１におけるヒット数が４１００であり、再生期間２におけるヒット数が２１００であり、再生期間３におけるヒット数が１１００であり、再生期間４におけるヒット数が５２００であり、再生期間５におけるヒット数が５３００である）を生成できる。
【００５６】
この時点で、特定のコンテンツ提供サーバ（たとえば、コンテンツ提供サーバＡ３００Ａ）のユーザ数が他のサーバのユーザ数よりも非常に多いために、コンテンツ提供サーバＡ３００Ａ内のコンテンツが有するヒット数が特に高い場合、それぞれのコンテンツ提供サーバ３００Ａ〜３００Ｎから収集されるそれぞれの再生期間に関する少なくとも１つのヒット情報に基づいてそれぞれの再生期間に関する合計ヒット情報を生成する際に正規化を実行しなければならない場合がある。
【００５７】
上述のように、それぞれのコンテンツ提供サーバ３００Ａ〜３００Ｎと相互作用することを通じて収集されるそれぞれの再生期間に関する少なくとも１つのヒット情報に基づいてそれぞれの再生期間に関する合計ヒット情報を生成する際、ヒット数情報管理ユニット２１０は、それぞれの再生期間に関する少なくとも１つのヒット情報を正規化して、それぞれの再生期間に関する正規化された少なくとも１つのヒット情報に基づいて再生期間に関するヒット情報を合計することによって、対応するコンテンツについてのそれぞれの再生期間に関する合計ヒット情報を生成する。
【００５８】
たとえば、あらかじめ定められたコンテンツ（たとえば、ビデオ・コンテンツ１）についてのそれぞれの再生期間に関する少なくとも１つのヒット情報（たとえば、ヒット情報アイテムＡ、Ｂ、及びＮ）に関して、ヒット数情報管理ユニット２１０は、ヒット全体、再生期間の数、及びヒットの平均数を、コンテンツ（たとえば、ビデオ・コンテンツ１）のそれぞれの再生期間に関する対応するヒット情報から認識して、認識されたヒットの平均数に基づいて対応するヒット情報を正規化する。
【００５９】
すなわち、コンテンツ（たとえば、ビデオ・コンテンツ１）についてのそれぞれの再生期間に関するヒット情報Ａが、再生期間１におけるヒット数が４０００であり、再生期間２におけるヒット数が２０００であり、再生期間３におけるヒット数が１０００であり、再生期間４におけるヒット数が５０００であり、再生期間５におけるヒット数が５０００であることを示すと仮定する場合、ヒット数情報管理ユニット２１０は、ヒット全体は１７０００（４０００＋２０００＋１０００＋５０００＋５０００）であり、再生期間の数は５であり、ヒットの平均数は３４００（１７０００／５）であることをコンテンツ（たとえば、ビデオ・コンテンツ１）についてのヒット情報Ａから認識でき、認識されたヒットの平均数（３４００）によってコンテンツ（たとえば、ビデオ・コンテンツ１）についての対応するヒット情報Ａを割り算することによって正規化されたコンテンツ（たとえば、ビデオ・コンテンツ１）についてのヒット情報Ａ（再生期間１におけるヒット数が１．２であり、再生期間２におけるヒット数が０．６であり、再生期間３におけるヒット数が０．３であり、再生期間４におけるヒット数が１．５であり、再生期間５におけるヒット数が１．５である）（たとえば、数字を小数第３位で四捨五入する）を導くことができる。このような方法で、ヒット情報Ｂ及びＮも正規化できる。
【００６０】
対応するコンテンツ（たとえば、ビデオ・コンテンツ１）についての正規化された情報（たとえば、ヒット情報Ａ、Ｂ、及びＮ）に関して、ヒット数情報管理ユニット２１０は、再生期間に関するヒット情報を合計することによって、対応するコンテンツ（たとえば、ビデオ・コンテンツ１）についてのそれぞれの再生期間に関する合計ヒット情報（再生期間１におけるヒット数がＸ１であり、再生期間２におけるヒット数がＸ２であり、再生期間３におけるヒット数がＸ３であり、再生期間４におけるヒット数がＸ４であり、再生期間５におけるヒット数がＸ５である）を生成できる。
【００６１】
検索結果提供ユニット２４０は、あらかじめ定められた検索語（たとえば、ＸＸドラマのエピソード３）に対応するコンテンツを検索するよう端末デバイス１００によって要求されると、それぞれのコンテンツ提供サーバ３００Ａ〜３００Ｎと相互作用している検索結果提供ユニット２４０に従って、検索するよう要求されたコンテンツ（たとえば、ＸＸドラマのエピソード３−ビデオ・コンテンツ１）をクラスタリングを通じて検索して、検索結果及び対応するコンテンツ（たとえば、ＸＸドラマのエピソード３−ビデオ・コンテンツ１）についてのそれぞれの再生期間に関する合計ヒット情報を端末デバイス１００に提供する。ここでは、クラスタリングを通じてウェブ上のコンテンツを検索する方法として従来のクラスタリング方法を採用できるので、詳細な説明は省略する。
【００６２】
すなわち、検索結果提供ユニット２４０は、端末デバイス１００の検索要求に従って検索されたコンテンツ（たとえば、ＸＸドラマのエピソード３−ビデオ・コンテンツ１）を提供／保有する、対応するコンテンツ提供サーバのコンテンツ提供サーバ関連情報、及び対応するコンテンツ提供サーバにおいて発行された対応するコンテンツのコンテンツ関連情報、並びにヒット数情報管理ユニット２１０によって管理される対応するコンテンツ（たとえば、ＸＸドラマのエピソード３−ビデオ・コンテンツ１）についてのそれぞれの再生期間に関する合計ヒット情報のうちの少なくとも１つを含む検索結果を端末デバイス１００に提供し、端末デバイス１００が検索結果を表示して、それぞれの再生期間に関する対応するコンテンツ（たとえば、ＸＸドラマのエピソード３−ビデオ・コンテンツ１）の合計ヒット数を識別できる人気表示バーを表示できるようにする。
【００６３】
コンテンツ提供サーバＡ３００Ａ及びコンテンツ提供サーバＮ３００Ｎが検索されたコンテンツ（たとえば、ＸＸドラマのエピソード３−ビデオ・コンテンツ１）を提供／保有する場合、コンテンツ提供サーバ関連情報は、サービス名情報、アクセス・アドレス情報、並びにコンテンツ提供サーバＡ３００Ａ及びコンテンツ提供サーバＮ３００Ｎの対応するサーバを表す画像情報を含みうる。
【００６４】
コンテンツ関連情報は、対応するコンテンツ提供サーバ（たとえば、コンテンツ提供サーバ３００Ａ、及び３００Ｎ）内の対応するコンテンツ（たとえば、ＸＸドラマのエピソード３−ビデオ・コンテンツ１）の格納位置情報、コンテンツ識別情報、コンテンツ・タイトル情報、及びサムネイル情報を含みうる。
【００６５】
検索結果に従って、コンテンツ検索サービス提供サーバ、及びとりわけ検索結果提供ユニット２４０から検索結果及びそれぞれの再生期間に関する合計ヒット情報が提供されると、端末デバイス１００は、検索結果に従って、対応するコンテンツ（たとえば、ＸＸドラマのエピソード３−ビデオ・コンテンツ１）を提供及び保有するコンテンツ提供サーバを表示して、対応するコンテンツ（たとえば、ＸＸドラマのエピソード３−ビデオ・コンテンツ１）についてのそれぞれの再生期間に関する合計ヒット情報に従って、それぞれの再生期間に関する対応するコンテンツ（たとえば、ＸＸドラマのエピソード３−ビデオ・コンテンツ１）についてのヒットの総数を識別できる人気表示バーを表示する。この時点で、人気表示バーに、あらかじめ設定されたヒットの総数の範囲に従って異なる表示色が割り当てられるので、それぞれの再生期間は対応するヒットの総数が属する範囲による表示色を有する。ここで、ヒットの総数の範囲に従って割り当てられた表示色はヒットの総数がより多いほどより暗く、すなわち人気がより高いことになり、ヒットの総数が少ないほど色はより明るく、すなわち人気がより低いことになる。
【００６６】
したがって、端末デバイス１００のユーザは、検索するよう要求されたコンテンツ（たとえば、ＸＸドラマのエピソード３−ビデオ・コンテンツ１）を提供及び保有するコンテンツ提供サーバを認識して、とりわけ対応するコンテンツ（たとえば、ＸＸドラマのエピソード３−ビデオ・コンテンツ１）の人気を、再生期間をベースに一目でチェックできる。
【００６７】
一方、本発明によるコンテンツ検索サービス提供サーバ２００は、期間コンテンツ情報管理ユニット２２０をさらに含みうる。
【００６８】
期間コンテンツ情報管理ユニット２２０は、それぞれのコンテンツ提供サーバ３００Ａ〜３００Ｎと相互作用することを通じて収集されるそれぞれのコンテンツのメタ情報、追加コメント情報、及びそれぞれの再生期間に関するタイトルについての情報のうちの少なくとも１つを含むそれぞれのコンテンツについての少なくとも１つの情報アイテムに基づいて、それぞれの再生期間に関するそれぞれのコンテンツについての情報を生成及び管理する。
【００６９】
すなわち、期間コンテンツ情報管理ユニット２２０は、定期的、若しくはあらかじめ定められたイベント（たとえば、コンテンツを検索するために端末デバイス１００によって実行される要求）の生成に従って、それぞれのコンテンツ提供サーバ３００Ａ〜３００Ｎと相互作用することを通じて、それぞれのコンテンツ提供サーバ３００Ａ〜３００Ｎによって保有されるそれぞれのコンテンツについての少なくとも１つの情報アイテムを収集して、それぞれの再生期間に関するそれぞれのコンテンツについての情報を生成及び管理する。
【００７０】
たとえば、期間コンテンツ情報管理ユニット２２０は、それぞれのコンテンツ提供サーバ３００Ａ〜３００Ｎによって保有されるそれぞれのコンテンツについての情報を、それぞれのコンテンツ提供サーバ３００Ａ〜３００Ｎから収集する。ここでは、コンテンツ情報は、上述のようにコンテンツ提供サーバ３００Ａ〜３００Ｎが説明される場合、対応するコンテンツ（たとえば、ビデオ・コンテンツ１）のメタ情報（たとえば、コンテンツ識別情報、コンテンツ・タイトル情報、合計再生時間情報、再生の開始及び再生の終了を表すそれぞれの再生期間に関する再生時間についての情報、ジャンル情報、テーマ情報、キャラクタ情報、及びストーリー情報）、及び対応するコンテンツ（たとえば、ビデオ・コンテンツ１）のそれぞれの再生期間に関する追加コメント情報（たとえば、コメント、レビュー、及び質問）、並びにそれぞれの再生期間のタイトル（たとえば、再生期間のタイトル、及び再生期間のストーリー）についての情報を含む。
【００７１】
この時点で、コンテンツ提供サーバＡ３００Ａ及びコンテンツ提供サーバＮ３００Ｎが同じコンテンツ（たとえば、ビデオ・コンテンツ１）を保有する場合、期間コンテンツ情報管理ユニット２２０は対応するコンテンツ（たとえば、ビデオ・コンテンツ１）についての情報Ａをコンテンツ提供サーバＡ３００Ａから収集して、対応するコンテンツ（たとえば、ビデオ・コンテンツ１）についての情報Ｎをコンテンツ提供サーバＮ３００Ｎから収集する。
【００７２】
期間コンテンツ情報管理ユニット２２０は、特定のコンテンツ（たとえば、ビデオ・コンテンツ３）についての唯一の情報アイテムを収集して、それぞれのコンテンツ提供サーバ３００Ａ〜３００Ｎによって保有されるそれぞれの様々なコンテンツに関する特定のコンテンツ（たとえば、ビデオ・コンテンツ１）についての様々な情報アイテム（たとえば、コンテンツ情報アイテムＡ、Ｂ、及びＮ）を収集できる。
【００７３】
上述のように、期間コンテンツ情報管理ユニット２２０は、それぞれのコンテンツ提供サーバ３００Ａ〜３００Ｎと相互作用することを通じて収集されるそれぞれのコンテンツについての情報に基づいてそれぞれの再生期間に関するそれぞれのコンテンツについての情報を生成及び管理する。
【００７４】
たとえば、期間コンテンツ情報管理ユニット２２０は、あらかじめ定められたコンテンツ（たとえば、ビデオ・コンテンツ３）についての唯一のコンテンツ情報アイテムが収集されると、対応するコンテンツ（たとえば、ビデオ・コンテンツ３）についての情報（たとえば、メタ情報、それぞれの再生期間に関する追加コメント情報、及びそれぞれの再生期間のタイトルについての情報）に基づいて、再生期間（たとえば、再生期間１、２、３、４、及び５）に関するタイトル、追加コメント（たとえば、コメント、レビュー、及び質問）、及び対応する再生期間（たとえば、再生期間１）のストーリーのうちの少なくとも１つを含むそれぞれの再生期間に関するそれぞれのコンテンツについての情報を生成できる。さらに、期間コンテンツ情報管理ユニット２２０は、あらかじめ定められたコンテンツ（たとえば、ビデオ・コンテンツ１）についての様々な情報アイテム（たとえば、コンテンツ情報アイテムＡ、Ｂ、及びＮ）が収集されると、様々なコンテンツ情報アイテム（たとえば、コンテンツ情報アイテムＡ、Ｂ、及びＮ）に基づいて、再生期間（たとえば、再生期間１、２、３、４、及び５）に関するタイトル、追加コメント（たとえば、コメント、レビュー、及び質問）、並びに対応する再生期間（たとえば、再生期間１）のストーリーのうちの少なくとも１つを含むそれぞれの再生期間に関するそれぞれのコンテンツについての情報を生成できる。
【００７５】
一方、上述のように、検索結果及び人気表示バーを表示する端末デバイス１００によって人気表示バー上の特定の再生期間（たとえば、再生期間２）を示すことができ、それによって、コンテンツ（たとえば、ＸＸドラマのエピソード３−ビデオ・コンテンツ１）についてのそれぞれの再生期間に関する検索結果及び合計ヒット情報に基づいてそれぞれの再生期間に関するコンテンツ（たとえば、ＸＸドラマのエピソード３−ビデオ・コンテンツ１）のヒットの総数を識別でき、コンテンツ（たとえば、ＸＸドラマのエピソード３−ビデオ・コンテンツ１）の検索要求に従って提供される。
【００７６】
上述のように人気表示バーを表示している端末デバイス１００によって表示される人気表示バー上の特定の再生期間（たとえば、再生期間２）が表示されると、検索結果提供ユニット２４０は、表示された特定の再生期間（たとえば、再生期間２）におけるコンテンツ（たとえば、ビデオ・コンテンツ１）についての情報を、期間コンテンツ情報管理ユニット２２０のそれぞれの再生期間に関する対応するコンテンツ（たとえば、ビデオ・コンテンツ１）についての情報から端末デバイス１００に提供するので、対応する再生期間（たとえば、再生期間２）のタイトル、追加コメント、及びストーリーのうちの少なくとも１つを含む再生期間（たとえば、再生期間２）におけるコンテンツ（たとえば、ビデオ・コンテンツ１）についての情報が表示される。
【００７７】
したがって、端末デバイス１００が、検索結果に従って、対応するコンテンツ（たとえば、ＸＸドラマのエピソード３−ビデオ・コンテンツ１）を提供／保有するコンテンツ提供サーバを表示して、それぞれの再生期間における対応するコンテンツ（たとえば、ＸＸドラマのエピソード３−ビデオ・コンテンツ１）のヒットの総数、すなわち、コンテンツ（たとえば、ＸＸドラマのエピソード３−ビデオ・コンテンツ１）についてのそれぞれの再生期間に関する合計ヒット情報に従って、それぞれの再生期間におけるコンテンツ（たとえば、ＸＸドラマのエピソード３−ビデオ・コンテンツ１）の人気を識別できる人気表示バーを表示する状態では、ユーザは、特定の再生期間を表示して、特定の再生期間のタイトル、特定の再生期間の簡単なストーリー、及び特定の再生期間における他のユーザの追加コメントを好都合に識別できる。
【００７８】
一方、コンテンツ（たとえば、ＸＸドラマのエピソード３−ビデオ・コンテンツ１）を検索するために端末デバイス１００によって実行される要求に従って、対応するコンテンツ（たとえば、ビデオ・コンテンツ１）についてのそれぞれの再生期間に関する検索結果及び合計ヒット情報が端末デバイス１００に提供されると、検索結果提供ユニット２４０は、それぞれの再生期間における対応するコンテンツ（たとえば、ビデオ・コンテンツ１）についての情報をさらに提供して、端末デバイス１００が検索結果及びそれぞれの再生期間におけるコンテンツ（たとえば、ビデオ・コンテンツ１）のヒットの総数を識別できる人気表示バーを表示すると、端末デバイス１００がそれぞれの再生期間に関するコンテンツ（たとえば、ビデオ・コンテンツ１）についての情報をさらに表示できるようにする。
【００７９】
すなわち、検索結果提供ユニット２４０は、コンテンツ（たとえば、ＸＸドラマのエピソード３−ビデオ・コンテンツ１）を検索するために端末デバイス１００によって実行される要求に従って、上述の検索結果及び対応するコンテンツ（たとえば、ビデオ・コンテンツ１）のそれぞれの再生期間に関する合計ヒット情報を端末デバイス１００に提供して、検索結果提供ユニット２４０は、期間コンテンツ情報管理ユニット２２０によって管理されるそれぞれの再生期間に関する対応するコンテンツ（たとえば、ビデオ・コンテンツ１）についての情報をさらに提供する。
【００８０】
検索要求に従って、検索結果、コンテンツ（たとえば、ビデオ・コンテンツ１）についてのそれぞれの再生期間に関する合計ヒット情報、及びそれぞれの再生期間におけるコンテンツ（たとえば、ビデオ・コンテンツ１）についての情報がコンテンツ検索サービス提供サーバから、及び、とりわけ検索結果提供ユニット２４０から提供されると、端末デバイス１００は、検索結果に従って、対応するコンテンツ（たとえば、ＸＸドラマのエピソード３−ビデオ・コンテンツ１）を提供及び保有するコンテンツ提供サーバを表示して、対応するコンテンツ（たとえば、ＸＸドラマのエピソード３−ビデオ・コンテンツ１）についてのそれぞれの再生期間に関する合計ヒット情報に従って、それぞれの再生期間に関する対応するコンテンツ（たとえば、ＸＸドラマのエピソード３−ビデオ・コンテンツ１）のヒットの総数を識別できる人気表示バーを表示する。また、端末デバイス１００は、それぞれの再生期間の期間コンテンツ情報に従って、対応するコンテンツ（たとえば、ＸＸドラマのエピソード３−ビデオ・コンテンツ１）についてのそれぞれの再生期間の期間タイトル、追加コメント、及びストーリーのうちの少なくとも１つを含む、期間コンテンツ情報を表示できる。
【００８１】
したがって、端末デバイス１００のユーザは、検索するよう要求されたコンテンツ（たとえば、ＸＸドラマのエピソード３−ビデオ・コンテンツ１）を提供／保有するコンテンツ提供サーバを認識して、とりわけそれぞれの再生期間における対応するコンテンツ（たとえば、ＸＸドラマのエピソード３−ビデオ・コンテンツ１）の人気、それぞれの再生期間のタイトル、それぞれの再生期間の簡単なストーリー、及び対応する再生期間における他のユーザの追加コメントを、一目で好都合にチェックできる。
【００８２】
ここでは、上述の人気表示バーとして、コンテンツの再生位置を表す進行バーが通常使用されうる。
【００８３】
一方、本発明によるコンテンツ検索サービス提供サーバ２００は、コンテンツ格納ユニット２３０内のコンテンツ検索サービス提供サーバ２００によって提供されうるコンテンツを格納及び管理するためのコンテンツ格納ユニット２３０をさらに含み、コンテンツ格納ユニット２３０若しくは追加機能ユニット（図示せず）は、上述のそれぞれのコンテンツ提供サーバ３００Ａ〜３００Ｎのように、コンテンツ格納ユニット２３０に含まれるコンテンツのそれぞれの再生期間に関するヒット情報を生成及び管理できる。
【００８４】
この場合、上述のように、ヒット数情報管理ユニット２１０がそれぞれのコンテンツ提供サーバ３００Ａ〜３００Ｎと相互作用することを通じてコンテンツごとにそれぞれの再生期間に関する合計ヒット情報を生成すると、ヒット数情報管理ユニット２１０は、コンテンツ検索サービス提供サーバ２００によって管理されるそれぞれの再生期間に関するヒット情報、並びにそれぞれのコンテンツ提供サーバ３００Ａ〜３００Ｎから収集されるそれぞれの再生期間に関するヒット情報に基づいてそれぞれの再生期間に関するヒット情報を生成する。
【００８５】
本発明によるコンテンツ検索サービス提供サーバ２００は、コンテンツ提供ユニット２５０をさらに含みうる。
【００８６】
上述のように、端末デバイス１００に表示された検索結果に基づいて、あらかじめ定められたコンテンツ提供サーバ（たとえば、コンテンツ提供サーバＡ３００Ａ）において発行されたコンテンツ（たとえば、ビデオ・コンテンツ１）に関して再生されるよう特定の再生期間（たとえば、再生期間２）が選択されると、コンテンツ提供ユニット２５０は、再生されるよう選択された特定の再生期間（たとえば、再生期間２）の再生時間情報を認識し、また、コンテンツ格納ユニット２３０内に対応するコンテンツ（たとえば、ビデオ・コンテンツ１）が存在する場合、認識された再生時間情報と同期してコンテンツ格納ユニット２３０に格納された対応するコンテンツ（たとえば、ビデオ・コンテンツ１）を端末デバイス１００に提供する。
【００８７】
すなわち、上述のように端末デバイス１００に表示された検索結果に基づいて、あらかじめ定められたコンテンツ提供サーバ（たとえば、コンテンツ提供サーバＡ３００Ａ）において発行されたコンテンツ（たとえば、ビデオ・コンテンツ１）に関する人気表示バーから特定の再生期間（たとえば、再生期間２）が再生されるよう選択されると、若しくは、それぞれの再生期間におけるコンテンツ（たとえば、ビデオ・コンテンツ１）上に表示された情報から特定の再生期間（たとえば、再生期間２）におけるコンテンツ（たとえば、ビデオ・コンテンツ１）についての情報が再生されるよう選択されると、コンテンツ提供ユニット２５０は、再生されるよう端末デバイス１００によって実行される選択に従って再生時間情報（たとえば、再生期間２において再生は１０分に開始して、２０分に終了する）を認識して、コンテンツ格納ユニット２３０内に対応するコンテンツ（たとえば、ビデオ・コンテンツ１）が存在するかどうかを決定する。
【００８８】
コンテンツ格納ユニット２３０内に対応するコンテンツ（たとえば、ビデオ・コンテンツ１）が存在する場合、コンテンツ提供ユニット２５０は、認識された再生時間情報（たとえば、再生は１０分００秒に開始して、２０分００秒に終了する）と同期して、コンテンツ格納ユニット２３０内に格納された対応するコンテンツ（たとえば、ビデオ・コンテンツ１）を端末デバイス１００に提供できる。
【００８９】
一方、コンテンツ格納ユニット２３０内に対応するコンテンツ（たとえば、ビデオ・コンテンツ１）が存在しない場合、コンテンツ提供ユニット２５０は、検索結果提供ユニット２４０によって端末デバイス１００に提供された検索結果（端末デバイス１００に現在表示されている結果）に含まれるコンテンツ提供サーバ関連情報及びコンテンツ関連情報を提供するので、端末デバイス１００は、対応するコンテンツ提供サーバ（たとえば、コンテンツ提供サーバＡ３００Ａ）から再生されるよう選択された特定の再生期間（たとえば、再生期間２）のコンテンツ（たとえば、ビデオ・コンテンツ１）を受信できる。
【００９０】
検索結果に基づいて、特定のコンテンツ提供サーバ（たとえば、コンテンツ提供サーバＡ３００Ａ）において発行されたコンテンツ（たとえば、ビデオ・コンテンツ１）に関して再生されるよう特定の再生期間（たとえば、再生期間２）が端末デバイス１００によって選択されると、コンテンツ提供ユニット２５０は、すぐに端末デバイス１００を対応するコンテンツ提供サーバＡ３００Ａに接続しないが、コンテンツ検索サービス提供サーバ２００によって保有される同じコンテンツ（たとえば、ビデオ・コンテンツ１）が存在する場合、保有されたコンテンツ（たとえば、ビデオ・コンテンツ１）に関して特定の再生期間（たとえば、再生期間２）を端末デバイス１００によって再生させる。
【００９１】
端末デバイス１００が、検索結果に従って、対応するコンテンツ（たとえば、ＸＸドラマのエピソード３−ビデオ・コンテンツ１）を提供／保有するコンテンツ提供サーバを表示して、それぞれの再生期間に関する対応するコンテンツ（たとえば、ＸＸドラマのエピソード３−ビデオ・コンテンツ１）のヒットの総数を識別できる人気表示バー、すなわち、対応するコンテンツ（たとえば、ＸＸドラマのエピソード３−ビデオ・コンテンツ１）についてのそれぞれの再生期間に関する合計ヒット情報に従って、それぞれの再生期間に関する対応するコンテンツ（たとえば、ＸＸドラマのエピソード３−ビデオ・コンテンツ１）の人気を表示する状態では、ユーザが特定のコンテンツ提供サーバによって提供されるコンテンツ（たとえば、ビデオ・コンテンツ１）の特定の再生期間（たとえば、再生期間２）が再生されるよう選択すると、ユーザは再生されるよう選択されたビデオ・コンテンツ１の再生期間２を容易に再生／閲覧できる。
【００９２】
上述のように、本発明によるコンテンツ検索サービス・システムは、ウェブ上の全てのコンテンツ提供サーバ３００Ａ〜３００Ｎと相互作用することを通じて、コンテンツごとにそれぞれの再生期間に関する合計ヒット情報を管理する。さらに、特定のコンテンツを検索するよう端末デバイス１００によって要求されると、本発明によるコンテンツ検索サービス・システムは、対応するコンテンツについてのそれぞれの再生期間に関するヒット情報を対応するコンテンツの検索結果とともに端末デバイス１００に提供する。その結果、コンテンツ検索サービス・システムは、それぞれの再生期間に関する合計ヒット情報、すなわち、特定のポータル・サービスの限られた範囲ではなく、ウェブ環境全体におけるそれぞれの再生期間に関するそれぞれのコンテンツの人気を端末デバイス１００のユーザに提供できる。
【００９３】
すなわち、本発明によるコンテンツ検索サービス・システムは、特定のポータル・サービスの限られた範囲ではなく、ウェブ環境全体におけるそれぞれの再生期間に関するそれぞれのコンテンツの人気をコンテンツ検索サービスのユーザに提供し、さらに、それぞれの再生期間に関して、対応する再生期間のタイトル、対応する再生期間における追加コメント、及び対応する再生期間のストーリーなどの詳細情報をユーザに提供するので、コンテンツ検索サービス・システムは、信頼性が高く、詳細で、効果的なコンテンツ検索サービスをユーザに提供できる。
【００９４】
以下では、本発明によるコンテンツ検索サービス方法を、図３及び４を参照して説明する。便宜上、図１及び２の参照番号に言及することによって説明を行う。
【００９５】
まず、図３を参照して本発明によるコンテンツ検索サービス方法を説明すると、本発明によるコンテンツ検索サービス方法では、それぞれのコンテンツ提供サーバ３００Ａ〜３００Ｎによって保有されるコンテンツごとにそれぞれの再生期間に関するヒット情報を管理するためのそれぞれのコンテンツ提供サーバ３００Ａ〜３００Ｎが、コンテンツ検索サービス提供サーバ２００と相互作用している（Ｓ１０）。
【００９６】
コンテンツ検索サービス提供サーバ２００は、Ｓ１０でそれぞれのコンテンツ提供サーバ３００Ａ〜３００Ｎから収集されるそれぞれの再生期間に関する少なくとも１つのヒット情報に基づいて、コンテンツごとにそれぞれの再生期間に関する合計ヒット情報を生成及び管理する（Ｓ２０）。
【００９７】
端末デバイス１００は、コンテンツ検索サービス提供サーバ２００に検索語（たとえば、ＸＸドラマのエピソード３）に対応するコンテンツを検索するよう要求するために、ユーザによってコンテンツ検索サービス提供サーバ２００に入力された検索語（たとえば、ＸＸドラマのエピソード３）を提供する（Ｓ３０）。
【００９８】
コンテンツ検索サービス提供サーバ２００は、端末デバイス１００によってコンテンツを検索するよう要求されると、それぞれのコンテンツ提供サーバ３００Ａ〜３００Ｎと相互作用しているコンテンツ検索サービス提供サーバ２００に従って、クラスタリング（ｃｌｕｓｔｅｒｉｎｇ）を通じて検索するよう端末デバイス１００によって要求されたコンテンツ（たとえば、ＸＸドラマのエピソード３−ビデオ・コンテンツ１）を検索する（Ｓ４０）。
【００９９】
コンテンツ検索サービス提供サーバ２００は、Ｓ４０で実行された検索の検索結果、及び対応するコンテンツについてのそれぞれの再生期間に関する合計ヒット情報を端末デバイス１００に提供する（Ｓ５０）。
【０１００】
端末デバイス１００は、提供された検索結果に従って、対応するコンテンツ（たとえば、ＸＸドラマのエピソード３−ビデオ・コンテンツ１）を提供／保有するコンテンツ提供サーバを表示して、対応するコンテンツ（たとえば、ＸＸドラマのエピソード３−ビデオ・コンテンツ１）についてのそれぞれの再生期間に関する合計ヒット情報に従って識別されるべき対応するコンテンツ（たとえば、ＸＸドラマのエピソード３−ビデオ・コンテンツ１）のヒットの総数を（たとえば、人気表示バーの形式で）表示する。端末デバイス１００のユーザは、検索するよう要求されたコンテンツ（たとえば、ＸＸドラマのエピソード３−ビデオ・コンテンツ１）を提供／保有するコンテンツ提供サーバを認識して、とりわけ対応するコンテンツ（たとえば、ＸＸドラマのエピソード３−ビデオ・コンテンツ１）の人気を、再生期間をベースに一目でチェックできる。
【０１０１】
以下では、図４を参照して、本発明によるコンテンツ検索サービス提供サーバ２００のサービス提供方法を詳細に説明する。
【０１０２】
本発明によるコンテンツ検索サービス提供サーバ２００のサービス提供方法では、定期的、若しくはあらかじめ定められたイベント（たとえば、コンテンツを検索するために端末デバイス１００によって実行される要求）の生成に従って、それぞれのコンテンツ提供サーバ３００Ａ〜３００Ｎと相互作用しているコンテンツ検索サービス提供サーバ２００によって、コンテンツ提供サーバ３００Ａ〜３００Ｎごとにそれぞれの再生期間に関する少なくとも１つのヒット情報が収集されて、それぞれの再生期間に関する少なくとも１つのヒット情報に基づいて、コンテンツごとにそれぞれの再生期間に関する合計ヒット情報が生成及び管理される（Ｓ１１０）。
【０１０３】
すなわち、本発明によるコンテンツ検索サービス提供サーバ２００のサービス提供方法では、コンテンツ検索サービス提供サーバ２００は、それぞれのコンテンツ提供サーバ３００Ａ〜３００Ｎによって保有されるコンテンツごとにそれぞれの再生期間に関するヒット情報を収集する。
【０１０４】
この時点で、コンテンツ提供サーバＡ３００Ａ及びコンテンツ提供サーバＮ３００Ｎが同じコンテンツ（たとえば、ビデオ・コンテンツ１）を保有する場合、本発明によるコンテンツ検索サービス提供サーバ２００のサービス提供方法では、対応するコンテンツ（たとえば、ビデオ・コンテンツ１）についてのそれぞれの再生期間に関するヒット情報Ａがコンテンツ提供サーバＡ３００Ａから収集されて、対応するコンテンツ（たとえば、ビデオ・コンテンツ１）についてのそれぞれの再生期間に関するヒット情報Ｎがコンテンツ提供サーバＮ３００Ｎから収集される。
【０１０５】
本発明によるコンテンツ検索サービス提供サーバ２００のサービス提供方法では、それぞれのコンテンツ提供サーバ３００Ａ〜３００Ｎによって保有されるそれぞれの様々なコンテンツに関して、特定のコンテンツ（たとえば、ビデオ・コンテンツ３）についてのそれぞれの再生期間に関する唯一のヒット情報を収集でき、特定のコンテンツ（たとえば、ビデオ・コンテンツ１）についてのそれぞれの再生期間に関する様々なヒット情報（たとえば、それぞれの再生期間Ａ、Ｂ、及びＮに関するヒット情報）を収集できる。
【０１０６】
本発明によるコンテンツ検索サービス提供サーバ２００のサービス提供方法では、上述のように、それぞれのコンテンツ提供サーバ３００Ａ〜３００Ｎによって保有されるコンテンツごとにそれぞれの再生期間に関する合計ヒット情報が、それぞれのコンテンツ提供サーバ３００Ａ〜３００Ｎによって保有されるコンテンツごとにそれぞれの再生期間に関する少なくとも１つのヒット情報に基づいて生成及び管理される。
【０１０７】
たとえば、本発明によるコンテンツ検索サービス提供サーバ２００のサービス提供方法では、あらかじめ定められたコンテンツ（たとえば、ビデオ・コンテンツ３）についてのそれぞれの再生期間に関する唯一のヒット情報が収集されると、対応するコンテンツ（たとえば、ビデオ・コンテンツ３）についてのそれぞれの再生期間に関する合計ヒット情報が、対応するコンテンツ（たとえば、ビデオ・コンテンツ３）についてのそれぞれの再生期間に関する唯一のヒット情報を、対応するコンテンツ（たとえば、ビデオ・コンテンツ３）についてのそれぞれの再生期間に関する合計ヒット情報として適用することによって生成されうる。さらに、本発明によるコンテンツ検索サービス提供サーバ２００のサービス提供方法では、あらかじめ定められたコンテンツ（たとえば、ビデオ・コンテンツ１）についての再生期間に関する様々なヒット情報（たとえば、それぞれの再生期間Ａ、Ｂ、及びＮに関するヒット情報）が収集されると、コンテンツ（たとえば、ビデオ・コンテンツ１）についてのそれぞれの再生期間に関するヒット情報が、コンテンツ（たとえば、ビデオ・コンテンツ１）についてのそれぞれの再生期間に関する様々なヒット情報（たとえば、それぞれの再生期間Ａ、Ｂ、及びＮに関するヒット情報）に基づいて合計されて、コンテンツ（たとえば、ビデオ・コンテンツ１）についてのそれぞれの再生期間に関する合計ヒット情報が生成される。
【０１０８】
この時点で、特定のコンテンツ提供サーバ（たとえば、コンテンツ提供サーバＡ３００Ａ）のユーザ数が他のサーバのユーザ数よりも非常に多いために、コンテンツ提供サーバＡ３００Ａ内にコンテンツが有するヒット数が特に高い場合、それぞれのコンテンツ提供サーバ３００Ａ〜３００Ｎから収集されるそれぞれの再生期間に関する少なくとも１つのヒット情報に基づいて、それぞれのコンテンツごとにそれぞれの再生期間に関する合計ヒット情報を生成する際に正規化を実行しなければならない場合がある。
【０１０９】
本発明によるコンテンツ検索サービス提供サーバ２００のサービス提供方法では、上述のように、それぞれのコンテンツ提供サーバ３００Ａ〜３００Ｎと相互作用することを通じて収集されるそれぞれの再生期間に関する少なくとも１つのヒット情報に基づいて、コンテンツごとにそれぞれの再生期間に関する合計ヒット情報を生成するＳ１１０を実行する際、ヒット数情報管理ユニット２１０が、それぞれの再生期間に関する少なくとも１つのヒット情報を正規化して、それぞれの再生期間に関する正規化された少なくとも１つのヒット情報に基づいてヒット数を合計することによって対応するコンテンツについてのそれぞれの再生期間に関する合計ヒット情報を生成する。
【０１１０】
たとえば、本発明によるコンテンツ検索サービス提供サーバ２００のサービス提供方法では、あらかじめ定められたコンテンツ（たとえば、ビデオ・コンテンツ１）についてのそれぞれの再生期間に関する少なくとも１つのヒット情報（たとえば、それぞれの再生期間Ａ、Ｂ、及びＮに関するヒット情報）に関して、ヒット数情報管理ユニット２１０は、コンテンツ（たとえば、ビデオ・コンテンツ１）についてのそれぞれの再生期間に関する対応するヒット情報からヒット全体、再生期間の数、及びヒットの平均数を認識して、認識されたヒットの平均数に基づいて、それぞれの再生期間に関する対応するヒット情報を正規化する。
【０１１１】
すなわち、コンテンツ（たとえば、ビデオ・コンテンツ１）についてのヒット情報Ａが、再生期間１におけるヒット数が４０００であり、再生期間２におけるヒット数が２０００であり、再生期間３におけるヒット数が１０００であり、再生期間４におけるヒット数が５０００であり、再生期間５におけるヒット数が５０００であることを示すと仮定すると、本発明によるコンテンツ検索サービス提供サーバ２００のサービス提供方法では、ヒット数情報管理ユニット２１０は、ヒット全体は１７０００（４０００＋２０００＋１０００＋５０００＋５０００）であり、再生期間の数は５であり、ヒットの平均数は３４００（１７０００／５）であることをコンテンツ（たとえば、ビデオ・コンテンツ１）についてのヒット情報Ａから認識でき、認識されたヒットの平均数（３４００）によって対応するヒット情報Ａを割り算することによって正規化されたコンテンツ（たとえば、ビデオ・コンテンツ１）についてのヒット情報Ａ（再生期間１におけるヒット数が１．２であり、再生期間２におけるヒット数が０．６であり、再生期間３におけるヒット数が０．３であり、再生期間４におけるヒット数が１．５であり、再生期間５におけるヒット数が１．５であることを示す）（たとえば、数字を小数第３位で四捨五入する）を導くことができる。このような方法で、それぞれの再生期間Ｂ及びＮに関するヒット情報も正規化できる。
【０１１２】
本発明によるコンテンツ検索サービス提供サーバ２００のサービス提供方法では、対応するコンテンツ（たとえば、ビデオ・コンテンツ１）についての正規化された情報（たとえば、それぞれの再生期間Ａ、Ｂ、及びＮに関するヒット情報）に関して、ヒット数情報管理ユニット２１０は、それぞれの再生期間に関するヒット情報を合計することによって、対応するコンテンツ（たとえば、ビデオ・コンテンツ１）についてのそれぞれの再生期間に関する合計ヒット情報（再生期間１におけるヒット数がＸ１であり、再生期間２におけるヒット数がＸ２であり、再生期間３におけるヒット数がＸ３であり、再生期間４におけるヒット数がＸ４であり、再生期間５におけるヒット数がＸ５であることを示す）を生成できる。
【０１１３】
本発明によるコンテンツ検索サービス提供サーバ２００のサービス提供方法では、定期的、若しくはあらかじめ定められたイベント（たとえば、コンテンツを検索するために端末デバイス１００によって実行される要求）の生成に従って、それぞれのコンテンツ提供サーバ３００Ａ〜３００Ｎと相互作用しているコンテンツ検索サービス提供サーバ２００によって、それぞれのコンテンツ提供サーバ３００Ａ〜３００Ｎによって保有されるそれぞれのコンテンツについての少なくとも１つの情報アイテムが収集されて、それぞれのコンテンツ提供サーバ３００Ａ〜３００Ｎによって保有されるコンテンツについてのそれぞれの再生期間に関するヒット情報が、それぞれのコンテンツについての少なくとも１つの情報アイテムに基づいて生成及び管理される（Ｓ１２０）。
【０１１４】
たとえば、本発明によるコンテンツ検索サービス提供サーバ２００のサービス提供方法では、それぞれのコンテンツ提供サーバ３００Ａ〜３００Ｎによって保有されるそれぞれのコンテンツについての情報は、それぞれのコンテンツ提供サーバ３００Ａ〜３００Ｎから収集される。ここでは、コンテンツ情報は、上述のようにコンテンツ提供サーバ３００Ａ〜３００Ｎが説明される場合、対応するコンテンツ（たとえば、ビデオ・コンテンツ１）のメタ情報（たとえば、コンテンツ識別情報、コンテンツ・タイトル情報、合計再生時間情報、再生の開始及び再生の終了を表す再生期間に関する再生時間についての情報、ジャンル情報、テーマ情報、キャラクタ情報、及びストーリー情報）、並びに対応するコンテンツ（たとえば、ビデオ・コンテンツ１）のそれぞれの再生期間における追加コメント情報（たとえば、コメント、レビュー、及び質問）、並びにそれぞれの再生期間のタイトル（たとえば、再生期間のタイトル、及び再生期間のストーリー）についての情報を含む。
【０１１５】
この時点で、コンテンツ提供サーバＡ３００Ａ及びコンテンツ提供サーバＮ３００Ｎが同じコンテンツ（たとえば、ビデオ・コンテンツ１）を保有する場合、本発明によるコンテンツ検索サービス提供サーバ２００のサービス提供方法では、対応するコンテンツ（たとえば、ビデオ・コンテンツ１）についての情報Ａがコンテンツ提供サーバＡ３００Ａから収集されて、対応するコンテンツ（たとえば、ビデオ・コンテンツ１）についての情報Ｎがコンテンツ提供サーバＮ３００Ｎから収集される。
【０１１６】
本発明によるコンテンツ検索サービス提供サーバ２００のサービス提供方法では、それぞれのコンテンツ提供サーバ３００Ａ〜３００Ｎによって保有されるそれぞれの様々なコンテンツに関して、特定のコンテンツ（たとえば、ビデオ・コンテンツ３）についての唯一の情報アイテム、及び特定のコンテンツ（たとえば、ビデオ・コンテンツ１）についての様々な情報アイテム（たとえば、コンテンツ情報アイテムＡ、Ｂ、及びＮ）を収集できる。
【０１１７】
それぞれの再生期間におけるそれぞれのコンテンツについての情報が、それぞれのコンテンツ提供サーバ３００Ａ〜３００Ｎと相互作用しているコンテンツ検索サービス提供サーバ２００によって収集されるそれぞれのコンテンツについての情報に基づいて生成及び管理される。
【０１１８】
たとえば、本発明によるコンテンツ検索サービス提供サーバ２００のサービス提供方法では、あらかじめ定められたコンテンツ（たとえば、ビデオ・コンテンツ３）についての唯一のコンテンツ情報アイテムが収集されると、対応するコンテンツ（たとえば、ビデオ・コンテンツ３）についての情報（たとえば、メタ情報、それぞれの再生期間における追加コメント情報、及びそれぞれの再生期間のタイトルについての情報）に基づいて、再生期間（たとえば、再生期間１、２、３、４、及び５）に関するタイトル、追加コメント（たとえば、コメント、レビュー、及び質問）、並びに対応する再生期間（たとえば、再生期間１）のストーリーのうちの少なくとも１つを含むそれぞれの再生期間におけるそれぞれのコンテンツについての情報が収集されうる。さらに、本発明によるコンテンツ検索サービス提供サーバ２００のサービス提供方法では、あらかじめ定められたコンテンツ（たとえば、ビデオ・コンテンツ１）についての様々な情報アイテム（たとえば、コンテンツ情報アイテムＡ、Ｂ、及びＮ）が収集されると、様々なコンテンツ情報アイテム（たとえば、コンテンツ情報アイテムＡ、Ｂ、及びＮ）に基づいて、再生期間（たとえば、再生期間１、２、３、４、及び５）に関するタイトル、追加コメント（たとえば、コメント、レビュー、及び質問）、及び対応する再生期間（たとえば、再生期間１）のストーリーのうちの少なくとも１つを含む、それぞれの再生期間におけるそれぞれのコンテンツについての情報が生成されうる。
【０１１９】
一方、本発明によるコンテンツ検索サービス提供サーバ２００のサービス提供方法では、あらかじめ定められた検索語（たとえば、ＸＸドラマのエピソード３）に対応するコンテンツを検索するよう端末デバイス１００によって要求されると（Ｓ１３０）、それぞれのコンテンツ提供サーバ３００Ａ〜３００Ｎと相互作用しているそれぞれのコンテンツ検索サービス提供サーバ２００に従って、検索するよう要求されたコンテンツ（たとえば、ＸＸドラマのエピソード３−ビデオ・コンテンツ１）が、クラスタリングを通じて検索される（Ｓ１４０）。ここでは、クラスタリングを通じてウェブ上のコンテンツを検索する方法として従来のクラスタリング方法を採用できるので、詳細な説明は省略する。
【０１２０】
本発明によるコンテンツ検索サービス提供サーバ２００のサービス提供方法では、Ｓ１４０で実行された検索の検索結果、及び対応するコンテンツ（たとえば、ＸＸドラマのエピソード３−ビデオ・コンテンツ１）についてのそれぞれの再生期間に関する合計ヒット情報が端末デバイス１００に提供される（Ｓ１５０）。
【０１２１】
すなわち、本発明によるコンテンツ検索サービス提供サーバ２００のサービス提供方法では、端末デバイス１００の検索結果に従って検索されるコンテンツ（たとえば、ＸＸドラマのエピソード３−ビデオ・コンテンツ１）を提供／保有する対応するコンテンツ提供サーバについての少なくとも１つの情報、対応するコンテンツ提供サーバにおいて発行された、対応するコンテンツについての情報を含む検索結果、並びにステップＳ１１０で管理されるそれぞれの再生期間に関する対応するコンテンツ（たとえば、ＸＸドラマのエピソード３−ビデオ・コンテンツ１）のヒット数についての合計ヒット数情報が端末デバイス１００に提供されるので、端末デバイス１００は検索結果を表示して、再生期間をベースに、対応するコンテンツ（たとえば、ＸＸドラマのエピソード３−ビデオ・コンテンツ１）についてのヒットの総数を識別できる人気表示バーを表示できるようになる。
【０１２２】
コンテンツ提供サーバＡ３００Ａ、及びコンテンツ提供サーバＮ３００Ｎが検索されたコンテンツ（たとえば、ＸＸドラマのエピソード３−ビデオ・コンテンツ１）を提供／保有する場合、コンテンツ提供サーバ関連情報は、サービス名情報、アクセス・アドレス情報、及びコンテンツ提供サーバＡ３００Ａ及びコンテンツ提供サーバＮ３００Ｎの対応するサーバを表す画像情報を含みうる。
【０１２３】
コンテンツ関連情報は、格納位置情報、コンテンツ識別情報、コンテンツ・タイトル情報、及び対応するコンテンツ提供サーバ（たとえば、コンテンツ提供サーバ３００Ａ、及び３００Ｎ）における対応するコンテンツ（たとえば、ＸＸドラマのエピソード３−ビデオ・コンテンツ１）のサムネイル情報を含みうる。
【０１２４】
検索要求に従って、コンテンツ検索サービス提供サーバ２００からそれぞれの再生期間に関する検索結果及び合計ヒット情報が提供されると、端末デバイス１００は、検索結果に従って、対応するコンテンツ（たとえば、ＸＸドラマのエピソード３−ビデオ・コンテンツ１）を提供／保有するコンテンツ提供サーバを表示して、対応するコンテンツ（たとえば、ＸＸドラマのエピソード３−ビデオ・コンテンツ１）についてのそれぞれの再生期間に関する合計ヒット情報に従って、再生期間をベースに、対応するコンテンツ（たとえば、ＸＸドラマのエピソード３−ビデオ・コンテンツ１）についてのヒットの総数を識別できる人気表示バーを表示する。この時点で、人気表示バーに、あらかじめ設定されたヒットの総数の範囲に従って異なる表示色を好都合に割り当てることができるので、それぞれの再生期間は対応するヒットの総数が属する範囲による表示色を有する。ここでは、ヒットの総数の範囲に従って割り当てられた表示色は、ヒットの総数がより多い、すなわち人気がより高いほどより暗いことが好ましく、ヒットの総数がより少ない、すなわち人気がより低いほどより明るいことが好ましい。
【０１２５】
したがって、端末デバイス１００のユーザは、検索するよう要求されたコンテンツ（たとえば、ＸＸドラマのエピソード３−ビデオ・コンテンツ１）を提供／保有するコンテンツ提供サーバを認識して、とりわけ対応するコンテンツ（たとえば、ＸＸドラマのエピソード３−ビデオ・コンテンツ１）の人気を、再生期間をベースに一目でチェックできる。
【０１２６】
一方、本発明によるコンテンツ検索サービス提供サーバ２００のサービス提供方法では、ステップＳ１５０で、コンテンツ（たとえば、ＸＸドラマのエピソード３−ビデオ・コンテンツ１）を検索するために端末デバイス１００によって実行される要求による検索結果、及び対応するコンテンツ（たとえば、ビデオ・コンテンツ１）についてのそれぞれの再生期間に関する合計ヒット情報が端末デバイス１００に提供され、コンテンツ検索サービス提供サーバ２００は、それぞれの再生期間に関する対応するコンテンツ（たとえば、ビデオ・コンテンツ１）についての期間コンテンツ情報を端末デバイス１００にさらに提供して、検索結果、及びそれぞれの再生期間に関するコンテンツ（たとえば、ビデオ・コンテンツ１）のヒットの総数を識別できる人気表示バーが端末デバイス１００に表示されると、それぞれの再生期間に関するコンテンツ（たとえば、ビデオ・コンテンツ１）についての期間コンテンツ情報を端末デバイス１００にさらに表示できるようにする。
【０１２７】
すなわち、本発明によるコンテンツ検索サービス提供サーバ２００のサービス提供方法では、上述のように、コンテンツ（たとえば、ＸＸドラマのエピソード３−ビデオ・コンテンツ１）を検索するために端末デバイス１００によって実行される要求に従って、検索結果、及び対応するコンテンツ（たとえば、ビデオ・コンテンツ１）についてのそれぞれの再生期間に関する合計ヒット情報が端末デバイス１００に提供され、Ｓ１２０で管理されるそれぞれの再生期間に関する対応するコンテンツ（たとえば、ビデオ・コンテンツ１）についての情報が端末デバイス１００にさらに提供されうる。
【０１２８】
検索結果、コンテンツ（たとえば、ビデオ・コンテンツ１）についてのそれぞれの再生期間に関する合計ヒット情報、及びそれぞれの再生期間に関するコンテンツ（たとえば、ビデオ・コンテンツ１）についての情報が、検索要求に従ってコンテンツ検索サービス提供サーバ２００から提供されると、端末デバイス１００は、検索結果に従って、対応するコンテンツ（たとえば、ＸＸドラマのエピソード３−ビデオ・コンテンツ１）を提供／保有するコンテンツ検索サーバを表示して、対応するコンテンツ（たとえば、ＸＸドラマのエピソード３−ビデオ・コンテンツ１）についてのそれぞれの再生期間に関する合計ヒット情報に従って、それぞれの再生期間に関する対応するコンテンツ（たとえば、ＸＸドラマのエピソード３−ビデオ・コンテンツ１）についてのヒットの総数を識別できる人気表示バーを表示する。さらに、端末デバイス１００は、それぞれの再生期間に関する対応するコンテンツ（たとえば、ＸＸドラマのエピソード３−ビデオ・コンテンツ１）についての情報に従って、それぞれの再生期間の期間タイトル、追加コメント、及びストーリーのうちの少なくとも１つを含む、それぞれの再生期間に関する対応するコンテンツ（たとえば、ＸＸドラマのエピソード３−ビデオ・コンテンツ１）についての情報を表示できる。
【０１２９】
したがって、端末デバイス１００のユーザは、検索するよう要求されたコンテンツ（たとえば、ＸＸドラマのエピソード３−ビデオ・コンテンツ１）を提供／保有するコンテンツ提供サーバを認識して、とりわけそれぞれの再生期間に関する対応するコンテンツ（たとえば、ＸＸドラマのエピソード３−ビデオ・コンテンツ１）の人気、それぞれの再生期間のタイトル、それぞれの再生期間の簡単なストーリー、及び対応する再生期間における他のユーザの追加コメントを、一目で好都合にチェックできる。
【０１３０】
一方、上述のように、人気表示バー上の特定の再生期間（たとえば、再生期間２）を、検索結果及び人気表示バーを表示している端末デバイス１００によって表示でき、それによって、コンテンツ（たとえば、ＸＸドラマのエピソード３−ビデオ・コンテンツ１）を検索する要求に従って提供されたコンテンツ（たとえば、ＸＸドラマのエピソード３−ビデオ・コンテンツ１）についてのそれぞれの再生期間に関する検索結果、及び合計ヒット情報に基づいて、それぞれの再生期間に関するコンテンツ（たとえば、ＸＸドラマのエピソード３−ビデオ・コンテンツ１）についてのヒットの総数を識別できる。
【０１３１】
したがって、本発明によるコンテンツ検索サービス提供サーバ２００のサービス提供方法では、コンテンツ検索サービス提供サーバ２００は、端末デバイス１００によって人気表示バー上の特定の再生期間（たとえば、再生期間２）が表示されているかどうかを決定する（Ｓ１６０）。次いで、特定の再生期間（たとえば、再生期間２）が表示されると、コンテンツ検索サービス提供サーバ２００は、対応するコンテンツ（たとえば、ビデオ・コンテンツ１）に従って、ステップＳ１２０で管理されたそれぞれの再生期間の期間コンテンツ情報の中から、表示された特定の再生期間（たとえば、再生期間２）に対応する、期間コンテンツ情報を端末デバイス１００に提供して（Ｓ１７０）、再生期間（たとえば、再生期間２）の期間タイトル、追加コメント、及びストーリーのうちの少なくとも１つを含む期間コンテンツ情報を表示できるようにする。
【０１３２】
したがって、端末デバイス１００が、検索結果に従って、対応するコンテンツ（たとえば、ＸＸドラマのエピソード３−ビデオ・コンテンツ１）を提供／保有するコンテンツ提供サーバを表示して、それぞれの再生期間に関するコンテンツ（たとえば、ＸＸドラマのエピソード３−ビデオ・コンテンツ１）についてのヒットの総数、すなわち、コンテンツ（たとえば、ＸＸドラマのエピソード３−ビデオ・コンテンツ１）についてのそれぞれの再生期間に関する合計ヒット情報に従って、それぞれの再生期間に関するコンテンツ（たとえば、ＸＸドラマのエピソード３−ビデオ・コンテンツ１）の人気を識別できる人気表示バーを表示する状態では、ユーザは、特定の再生期間を表示して、特定の再生期間のタイトル、特定の再生期間の簡単なストーリー、及び特定の再生期間における他のユーザの追加コメントを好都合に識別できる。
【０１３３】
本発明によるコンテンツ検索サービス提供サーバ２００のサービス提供方法では、上述のように端末デバイス１００に表示された検索結果に基づいて、あらかじめ定められたコンテンツ提供サーバ（たとえば、コンテンツ提供サーバＡ３００Ａ）において発行されたコンテンツ（たとえば、ビデオ・コンテンツ１）に関して再生されるよう特定の再生期間（たとえば、再生期間２）が選択されると、再生されるよう選択された特定の再生期間（たとえば、再生期間２）の再生時間情報が認識されて、コンテンツ検索サービス提供サーバ２００によって格納されて、それによって保有される対応するコンテンツ（たとえば、ビデオ・コンテンツ１）がある場合、コンテンツ検索サービス提供サーバ２００に格納された対応するコンテンツ（たとえば、ビデオ・コンテンツ１）が、認識された再生時間情報と同期して端末デバイス１００に提供される。
【０１３４】
すなわち、本発明によるコンテンツ検索サービス提供サーバ２００のサービス提供方法では、上述のように、端末デバイス１００に表示された検索結果に基づいて、あらかじめ定められたコンテンツ提供サーバ（たとえば、コンテンツ提供サーバＡ３００Ａ）において発行されたコンテンツ（たとえば、ビデオ・コンテンツ１）に関して、人気表示バーから特定の再生期間（たとえば、再生期間２）が再生されるよう選択されるかどうか、若しくは、コンテンツ（たとえば、再生期間２）についての表示された情報から特定の再生期間（たとえば、再生期間２）におけるコンテンツ（たとえば、ビデオ・コンテンツ１）についての情報が再生されるよう選択されるかどうかが決定されて、特定の再生期間（たとえば、再生期間２）が再生されるよう選択されるかどうかを決定できるようにする（Ｓ１８０）。
【０１３５】
特定の再生期間（たとえば、再生期間２）が再生されるよう端末デバイス１００によって選択されると、本発明によるコンテンツ検索サービス提供サーバ２００のサービス提供方法では、端末デバイス１００によって実行される選択に従って、再生されるべき再生時間情報（たとえば、再生期間２において再生は１０分に開始して、２０分に終了する）が認識されて、コンテンツ検索サービス提供サーバ２００に格納されて、それによって保有される対応するコンテンツ（たとえば、ビデオ・コンテンツ１）が存在するかどうかが決定される（Ｓ１９０）。
【０１３６】
コンテンツ検索サービス提供サーバ２００に格納された対応するコンテンツ（たとえば、ビデオ・コンテンツ１）が存在する場合、本発明によるコンテンツ検索サービス提供サーバ２００のサービス提供方法では、コンテンツ検索サービス提供サーバ２００に格納された対応するコンテンツ（たとえば、ビデオ・コンテンツ１）が、認識された再生時間情報（たとえば、再生は１０分００秒に開始して、２０分００秒に終了する）と同期して、端末デバイス１００に提供されうる。
【０１３７】
一方、コンテンツ検索サービス提供サーバ２００に格納された対応するコンテンツ（たとえば、ビデオ・コンテンツ１）が存在しない場合、本発明によるコンテンツ検索サービス提供サーバ２００のサービス提供方法では、Ｓ１５０で端末デバイス１００に提供された検索結果（端末デバイス１００に現在表示されている結果）に含まれるコンテンツ提供サーバ関連情報、及びコンテンツ関連情報が端末デバイス１００に提供されるので、端末デバイス１００は、対応するコンテンツ提供サーバ（たとえば、コンテンツ提供サーバＡ３００Ａ）から再生されるよう選択された特定の再生期間（たとえば、再生期間２）のコンテンツ（たとえば、ビデオ・コンテンツ１）を受信できる（Ｓ２１０）。
【０１３８】
本発明によるコンテンツ検索サービス提供サーバ２００のサービス提供方法では、検索結果に基づいて、特定のコンテンツ提供サーバ（たとえば、コンテンツ提供サーバＡ３００Ａ）において発行されたコンテンツ（たとえば、ビデオ・コンテンツ１）に関して再生されるよう特定の再生期間（たとえば、再生期間２）が端末デバイス１００によって選択されると、コンテンツ提供ユニット２５０は、すぐに端末デバイス１００を対応するコンテンツ提供サーバＡ３００Ａに接続しないが、コンテンツ検索サービス提供サーバ２００によって保有される同じコンテンツ（たとえば、ビデオ・コンテンツ１）が存在する場合、保有されたコンテンツ（たとえば、ビデオ・コンテンツ１）に関して特定の再生期間（たとえば、再生期間２）を端末デバイス１００によって再生させる。
【０１３９】
端末デバイス１００が、検索結果に従って、対応するコンテンツ（たとえば、ＸＸドラマのエピソード３−ビデオ・コンテンツ１）を提供／保有するコンテンツ提供サーバを表示して、対応するコンテンツ（たとえば、ＸＸドラマのエピソード３−ビデオ・コンテンツ１）についてのそれぞれの再生期間に関する合計ヒット情報に従って、それぞれの再生期間における対応するコンテンツ（たとえば、ＸＸドラマのエピソード３−ビデオ・コンテンツ１）のヒットの総数を識別できる人気表示バー、すなわち、それぞれの再生期間における対応するコンテンツ（たとえば、ＸＸドラマのエピソード３−ビデオ・コンテンツ１）の人気を表示する状態では、ユーザが特定のコンテンツ提供サーバによって提供されるコンテンツ（たとえば、ビデオ・コンテンツ１）の特定の再生期間（たとえば、再生期間２）が再生されるよう選択すると、ユーザは再生されるよう選択されたビデオ・コンテンツ１の再生期間２を容易に再生及び閲覧できる。
【０１４０】
上述のように、本発明によるコンテンツ検索サービス方法は、ウェブ上の全てのコンテンツ提供サーバ３００Ａ〜３００Ｎと相互作用することを通じて、コンテンツごとにそれぞれの再生期間に関する合計ヒット情報を管理する。さらに、特定のコンテンツを検索するよう端末デバイス１００によって要求されると、本発明によるコンテンツ検索サービス方法は、対応するコンテンツについてのそれぞれの再生期間に関するヒット情報を対応するコンテンツの検索結果とともに端末デバイス１００に提供する。その結果、コンテンツ検索サービス方法は、それぞれの再生期間に関するコンテンツごとのヒットの総数、すなわち、特定のポータル・サービスの限られた範囲ではなく、ウェブ環境全体におけるそれぞれの再生期間に関するそれぞれのコンテンツの人気を端末デバイス１００のユーザに提供できる。
【０１４１】
すなわち、本発明によるコンテンツ検索サービス方法では、本発明によるコンテンツ検索サービス・システムが、特定のポータル・サービスの限られた範囲ではなく、ウェブ環境全体におけるそれぞれの再生期間に関するそれぞれのコンテンツの人気をコンテンツ検索サービスのユーザに提供し、さらに、それぞれの再生期間に関して、対応する再生期間のタイトル、対応する再生期間における追加コメント、及び対応する再生期間のストーリーなどの詳細情報をユーザに提供するので、コンテンツ検索サービス・システムは、信頼性が高く、詳細で、効果的なコンテンツ検索サービスをユーザに提供できる。
【０１４２】
例示のために本発明の例示的な実施例を説明してきたが、添付の特許請求の範囲に開示した本発明の範囲及び趣旨から逸脱することなしに、様々な修正、追加、及び置換が可能であることを、当業者は理解できるであろう。
【０１４３】
コンテンツごとのそれぞれの再生期間に関する合計ヒット情報が、ウェブ上に位置するそれぞれのコンテンツ提供サーバと相互作用しているコンテンツ検索サービス提供サーバによって管理され、特定のコンテンツを検索するよう端末デバイスによって要求されると、対応するコンテンツの検索結果、及びコンテンツについてのそれぞれの再生期間に関する合計ヒット情報が端末デバイスに提供されて、それぞれの再生期間に関するコンテンツごとのヒットの総数、すなわち、特定のポータル・サービスの限られた範囲ではなく、ウェブ環境全体における、それぞれの再生期間に関するそれぞれのコンテンツの人気をユーザに提供できるようになり、また、それぞれの再生期間に関する対応する再生期間のタイトル、追加コメント、及びストーリーなどの詳細情報がユーザに提供される、コンテンツ検索サービス・システム及びコンテンツ検索サービス方法が適用されると、コンテンツサービスの効率、信頼性、及び満足度を改良すること、並びに適用されたコンテンツ検索サービス提供サーバ及びサービスソリューションを販売することが可能になる。
【図１】
2013531854.tif 000003
【図２】
2013531854.tif 000004
【図３】
2013531854.tif 000005
【図４】
2013531854.tif 000006
【国際調査報告】
2013531854.tif 000007
2013531854.tif 000008
2013531854.tif 000009
2013531854.tif 000010